(57)【要約】      （修正有）【課題】車椅子の背もたれ調整装置の提供。【解決手段】車椅子の後方の二つのハンドルバー１６の上方と下方に上調整装置２３と下調整装置２４が架設され、並びに背もたれ両側の上方と下方の、該上調整装置と下調整装置に対応する位置にそれぞれ位置決めピン２２が設けられ、位置決めピンが上調整装置と下調整装置内にあって移動可能とされ、これにより背もたれが傾斜角度調整或いは深さ調整を行なえるものとされ、各種の座り姿勢に適合し、座る人に便利である。【選択図】図２
0003111914.tif 000002
【実用新案登録請求の範囲】
【請求項１】
車椅子の背もたれ調整装置であって、該車椅子は、前車輪、後ろ車輪、複数の支持棒、アームレスト、フットボード及び後方の二つのハンドルバーで構成され、該二つのハンドルバーの間に背もたれが架設され、背もたれの両側が折り曲げられその背面の上方と下方に略Ｖ形の連結板が位置決めされた車椅子の背もたれ調整装置において、
該連結板に位置決めピンが設けられ、二つのハンドルバーにあって該位置決めピンに対応する位置に、上調整装置と下調整装置が設けられ、該上調整装置と下調整装置が小開口とストッパ部を具え、並びに少なくとも一つの位置決め溝が設けられ、これにより、背もたれ両側の位置決めピンが上調整装置と下調整装置の小開口内に挿入され、並びにストッパ部により外向き移動が阻止されて背もたれの位置決めに供され、並びに位置決めピンが位置決め溝内に嵌入し、位置決めピンが前方或いは後方の位置決め溝に移動する時、背もたれの後傾角度或いは深さが調整されることを特徴とする、車椅子の背もたれ調整装置。
【請求項２】
請求項１記載の車椅子の背もたれ調整装置であって、上調整装置と下調整装置がそれぞれ二つの挟持片でネジを利用してハンドルバーに固定されたことを特徴とする、車椅子の背もたれ調整装置。
【請求項３】
請求項１記載の車椅子の背もたれ調整装置であって、上調整装置の小開口が上方に設けられ、上調整装置の位置決め溝は複数設けられ、下調整装置の小開口は角部に設けられ、下調整装置の小開口は一つとされて背もたれの傾斜角度調整が可能とされたことを特徴とする、車椅子の背もたれ調整装置。
【請求項４】
請求項１記載の車椅子の背もたれ調整装置であって、上調整装置と下調整装置の小開口が上方に設けられ、上調整装置と下調整装置の位置決め溝が複数設けられ、背もたれが傾斜角度と深さ調整可能とされたことを特徴とする、車椅子の背もたれ調整装置。
【考案の詳細な説明】
【技術分野】
【０００１】
本考案は車椅子に係り、特に、背もたれの傾斜調整、後方移動調整が行なえる車椅子の背もたれ調整装置に関する。
【背景技術】
【０００２】
周知のとおり、車椅子は行動に不自由がある人の移動補助ツールとされ、折り畳み、展開可能で非常に便利である。しかし、車椅子の背もたれは一般に直接二つのハンドルバーに固定され、背もたれの調整は行なえない。しかし人によって身長或いは体格は異なるため、固定式の背もたれは要求を満足できない。既にある業者は高さ調整可能な背もたれを製造しているが、依然として各種の要求を満足させられず、例えば背もたれからシートの距離が一致しており、比較的身長の高い人には狭苦しく感じられ、その行動に影響が生じ、さらにはその病状に影響が生じることがある。また身長が低い人にはその距離が大き過ぎ、腰が曲がり猫背になり、座姿が不良となり、行動に余計に力が必要となる状況が出現する。このため背もたれの傾斜度、深さを調整できればこのような状況を改善できる。
【考案の開示】
【考案が解決しようとする課題】
【０００３】
本考案は一種の車椅子の背もたれ調整装置を提供することを目的とし、それは、背もたれの後傾、前傾、或いは深さを調整でき、各種の人の要求を満足させられ、使用者が座る時に最も快適な状態を達成できるものとする。
【課題を解決するための手段】
【０００４】
請求項１の考案は、車椅子の背もたれ調整装置であって、該車椅子は、前車輪、後ろ車輪、複数の支持棒、アームレスト、フットボード及び後方の二つのハンドルバーで構成され、該二つのハンドルバーの間に背もたれが架設され、背もたれの両側が折り曲げられその背面の上方と下方に略Ｖ形の連結板が位置決めされた車椅子の背もたれ調整装置において、
該連結板に位置決めピンが設けられ、二つのハンドルバーにあって該位置決めピンに対応する位置に、上調整装置と下調整装置が設けられ、該上調整装置と下調整装置が小開口とストッパ部を具え、並びに少なくとも一つの位置決め溝が設けられ、これにより、背もたれ両側の位置決めピンが上調整装置と下調整装置の小開口内に挿入され、並びにストッパ部により外向き移動が阻止されて背もたれの位置決めに供され、並びに位置決めピンが位置決め溝内に嵌入し、位置決めピンが前方或いは後方の位置決め溝に移動する時、背もたれの後傾角度或いは深さが調整されることを特徴とする、車椅子の背もたれ調整装置としている。
請求項２の考案は、請求項１記載の車椅子の背もたれ調整装置であって、上調整装置と下調整装置がそれぞれ二つの挟持片でネジを利用してハンドルバーに固定されたことを特徴とする、車椅子の背もたれ調整装置としている。
請求項３の考案は、請求項１記載の車椅子の背もたれ調整装置であって、上調整装置の小開口が上方に設けられ、上調整装置の位置決め溝は複数設けられ、下調整装置の小開口は角部に設けられ、下調整装置の小開口は一つとされて背もたれの傾斜角度調整が可能とされたことを特徴とする、車椅子の背もたれ調整装置としている。
請求項４の考案は、請求項１記載の車椅子の背もたれ調整装置であって、上調整装置と下調整装置の小開口が上方に設けられ、上調整装置と下調整装置の位置決め溝が複数設けられ、背もたれが傾斜角度と深さ調整可能とされたことを特徴とする、車椅子の背もたれ調整装置としている。
【考案の効果】
【０００５】
本考案の車椅子の背もたれ調整装置は、背もたれの後傾、前傾、或いは深さを調整でき、各種の人の要求を満足させられ、使用者が座る時に最も快適な状態を達成できる。
【考案を実施するための最良の形態】
【０００６】
本考案は一種の車椅子の背もたれ調整装置を提供し、該車椅子は、前車輪、後ろ車輪、複数の支持棒、アームレスト、フットボード及び後方の二つのハンドルバーで構成され、該二つのハンドルバーの間に背もたれが架設され、背もたれの両側が折り曲げられその背面の上方と下方に略Ｖ形の連結板が位置決めされている。本考案の特徴は以下のとおりである。該連結板に位置決めピンが設けられ、二つのハンドルバーにあって該位置決めピンに対応する位置に、上調整装置と下調整装置が設けられ、該上調整装置と下調整装置が小開口とストッパ部を具え、並びに少なくとも一つの位置決め溝が設けられている。これにより、背もたれ両側の位置決めピンが上調整装置と下調整装置の小開口内に挿入され、並びにストッパ部により外向き移動が阻止されて背もたれの位置決めに供され、並びに位置決めピンが位置決め溝内に嵌入し、位置決めピンが前方或いは後方の位置決め溝に移動する時、背もたれの後傾角度或いは深さが調整される。
【実施例１】
【０００７】
図１、２、３に示されるように、本考案は一種の車椅子の背もたれ調整装置を提供し、車椅子１０は前車輪１１、後ろ車輪１２、複数の支持棒１３、アームレスト１４、フットボード１５及び後方の二つのハンドルバー１６で構成され、該二つのハンドルバー１６の間に背もたれ２０が架設され、背もたれ２０の両側が所定角度折り曲げられその背面の上方と下方に連結板２１が固定され（即ち背もたれ２０に全部で四つの連結板２１が固定される）、該連結板２１は略Ｖ形を呈し（図４参照）、並びに連結板２１の外側に位置決めピン２２が延設されている。ハンドルバー１６にあって上下の位置決めピン２２に対応する位置に、上調整装置２３と下調整装置２４が設けられ、それぞれ二つの相互に対称な挟持片２５によりハンドルバー１６において位置決めされ、挟持片２５に孔２５１が設けられ、複数のネジ２５２が孔２５１に通された後に更に上調整装置２３の孔２３１（或いは下調整装置２４の孔２４１）にねじ込まれて位置決めが達成され、該上調整装置２３に上部の小開口２３２、上部のストッパ部２３３及び複数の位置決め溝２３４が形成され、下調整装置２４に上部の角部の小開口２４２、上部のストッパ部２４３及び位置決め溝２４４が形成され、上方の位置決め溝２３４或いは下方の位置決め溝２４４が上下の位置決めピン２２の嵌入に供され、これにより背もたれ２０が位置決めされる。
【０００８】
本考案は以上の構造を有し、背もたれ２０を組み立てる時は図５に示されるように、背もたれ２０両側の上下の位置決めピン２２を上調整装置２３の小開口２３２と下調整装置２４の小開口２４２に挿入し、位置決め溝２３４（２４４）に位置決めすれば、背もたれ２０を位置決めでき、ストッパ部２３３（２４３）による阻止により、背もたれ２０の走行過程での脱落が防止される。
【０００９】
操作時は図６、７に示されるように、背もたれ２０の傾斜調整する時は、ただ背もたれ２０を上に移動させて上下の位置決めピン２２を上昇させて上調整装置２３の位置決め溝２３４と下調整装置２４の位置決め溝２４４より離脱させ、更に背もたれ２０を後傾させて必要な角度とし、下に背もたれ２０を移動させて、その上下の位置決めピン２２を上調整装置２３の別の位置決め溝２３４内に入れ、下方の位置決めピン２２を下調整装置２４のもとの位置決め溝２４４に嵌め込めば、背もたれ２０の後傾角度調整と位置決めが行なえ、人体の座姿の必要に供することができる。
【実施例２】
【００１０】
本考案の第２実施例は図８、９に示されるようであり、上調整装置２３は変わらず、下調整装置２３’が上調整装置２３と完全に同じとされる。これにより、操作時に、上下の位置決めピン２２を上調整装置２３の位置決め溝２３４及び下調整装置２３’の位置決め溝２３４’に挿入でき、上下の位置決めピン２２を同様にピッチ移動させることで、背もたれ２０の深さ調整（背もたれの直立を保持する）が行なえ、これにより使用者に合わせて背もたれの深さを調整できる。且つこの実施例は背もたれ２０後傾の動作も行なえ、その場合は背もたれ２０を移動させる時、下方の位置決めピン２２をもとの位置決め溝２３４’内に挿入し、上方の位置決めピン２２を別の位置決め溝２３４に位置決めすれば、背もたれ２０が自然に後傾の状態を呈する。
【図面の簡単な説明】
【００１１】
【図１】本考案の車椅子の側面図である。
【図２】本考案の立体組合せ図である。
【図３】本考案の立体分解図である。
【図４】本考案の平面図である。
【図５】本考案の位置決めピンの位置決めの側面図である。
【図６】本考案の操作の側面図である。
【図７】本考案の背もたれが後傾状態の側面図である。
【図８】本考案の第２実施例の側面図である。
【図９】本考案の第２実施例の背もたれの深さ調整の側面図である。
【符号の説明】
【００１２】
１０  車椅子                １１  前車輪
１２  後ろ車輪              １３  支持棒
１４  アームレスト          １５  フットボード
１６  ハンドルバー          ２０  背もたれ
２１  連結板                ２２  位置決めピン
２３  上調整装置            ２３’  下調整装置
２３１  孔                  ２３２  小開口
２３３  ストッパ部          ２３４  位置決め溝
２３４’  位置決め溝        ２４  下調整装置
２４１  孔                  ２４２  小開口
２４３  ストッパ部          ２４４  位置決め溝
２５  挟持片                ２５１  孔
２５２  ネジ
【図１】
0003111914.tif 000003
【図２】
0003111914.tif 000004
【図３】
0003111914.tif 000005
【図４】
0003111914.tif 000006
【図５】
0003111914.tif 000007
【図６】
0003111914.tif 000008
【図７】
0003111914.tif 000009
【図８】
0003111914.tif 000010
【図９】
0003111914.tif 000011